【手続補正書】
【提出日】平成16年10月20日(2004.10.20)
【手続補正１】
【補正対象書類名】明細書
【補正対象項目名】特許請求の範囲
【補正方法】変更
【補正の内容】
【特許請求の範囲】
【請求項１】
光照射を用いた包装（packaging）の非浸潤性消毒方法であって、前記方法は、透明な容器を消毒すること、および光照射がパッケージ内に入ることができる少なくとも１つの透明な部分を有するパッケージの内容を消毒することに利用でき、
（ａ）少なくとも１つのパッケージの反対側に、マイクロ秒未満の光のパルスを放射できる少なくとも１つの光照射手段を配置する工程；
（ｂ）少なくとも１つのパッケージ内の液体および気体内容の間に複数の屈折率特性を生じさせることにより、前記パッケージ内の中央部に光ディフューザーを形成する工程；
（ｃ）前記光照射手段から発した少なくとも１つのマイクロ秒未満の光のパルスが、前記少なくとも１つのパッケージの少なくとも１つの透明な部分を通って、前記光ディフューザーに向かい、前記パッケージを通り抜けるように、前記光のパルスを向ける工程；
前記（ａ）〜（ｃ）工程を含み、前記光のパルスが、前記光ディフューザーから前記パッケージ全体に拡散される方法。
【請求項２】
消毒前に、前記パッケージ内に内容を封入する請求項１に記載のパッケージの非浸潤性消毒方法。
【請求項３】
複数の屈折率特性の前記ディフューザーが、前記パッケージの内容を回転させることにより形成される請求項１または２に記載のパッケージの非浸潤性消毒方法。
【請求項４】
複数の屈折率特性の前記ディフューザーが、前記パッケージ内に渦を形成することにより形成される請求項１または２に記載のパッケージの非浸潤性消毒方法。
【請求項５】
前記パッケージの内容が、前記液体に加えて、さらに、液体を凍結させたもの、ジェル、粉末、固体または気体、若しくはそれらを組み合わせたものを含む請求項１から４のいずれかに記載のパッケージの非浸潤性消毒方法。
【請求項６】
所定の角度で音波エネルギーを利用することにより、前記パッケージ内の液体を回転させて、前記渦を形成する請求項４に記載のパッケージの非浸潤性消毒方法。
【請求項７】
前記渦を形成するために、前記パッケージ中の液体の容量を、１８ＲＰＭ〜１８００ＲＰＭの間の速度で回転させる請求項４に記載のパッケージの非浸潤性消毒方法。
【請求項８】
消毒手順の間、前記少なくとも１つの光照射手段を、消毒に有用な別の複数の光源と一緒に使用する請求項１から７のいずれかに記載のパッケージの非浸潤性消毒方法。
【請求項９】
消毒手順の間、前記少なくとも１つの光照射手段を、少なくとも１つの超音波振動子と一緒に使用する請求項１から７のいずれかに記載のパッケージの非浸潤性消毒方法。
【請求項１０】
前記少なくとも１つの光照射手段の波長が、３４７ｎｍ〜３９９ｎｍの間である請求項１から９のいずれかに記載のパッケージの非浸潤性消毒方法。
【請求項１１】
光照射を用いた包装（packaging）の非浸潤性消毒装置であって、前記装置では、透明な容器の消毒および光照射がパッケージ内に入ることができる少なくとも１つの透明な部分を有するパッケージの内容の消毒に利用でき、
（ａ）２００ｎｍ〜１０００ｎｍの間の波長を有する光成分を含む光のパルスを発射可能な少なくとも１つの光照射装置；
（ｂ）消毒予定の少なくとも１つのパッケージを、光照射を受けるために、前記少なくとも１つの光照射装置の反対側に位置合わせするための機械的手段；
（ｃ）前記パッケージ内の中央部に、液体および気体内容の間に複数の屈折率特性を有する光ディフューザーを形成する手段；
（ｄ）前記パッケージ内に形成した光ディフューザーに向けて光のパルスを伝えるように、前記光照射装置を制御する制御手段；
これらを含み、前記光のパルスが、拡散できる光から前記パッケージ全体に拡散される装置。
【請求項１２】
前記複数の屈折率ディフューザーを形成する手段が、音波エネルギーである請求項１１に記載のパッケージの非浸潤性消毒装置。
【請求項１３】
前記音波エネルギー手段により、前記パッケージの内容内に渦を形成する請求項１２に記載のパッケージの非浸潤性消毒装置。
【請求項１４】
前記光照射装置が、レーザーを含む請求項１１から１３のいずれかに記載のパッケージの非浸潤性消毒装置。
【請求項１５】
さらに、前記少なくとも１つの光照射手段と組み合わせた複数の光源を含む請求項１１から１３のいずれかに記載のパッケージの非浸潤性消毒装置。
【請求項１６】
さらに、前記少なくとも１つの光照射手段と組み合わせた超音波振動子を含む請求項１１から１３のいずれかに記載のパッケージの非浸潤性消毒装置。
【請求項１７】
前記レーザーが、固相レーザーである請求項１４に記載のパッケージの非浸潤性消毒装置。
【請求項１８】
前記レーザーが、第２次、第３次、第４次、第５次、第６次高調波発生装置または周波数二倍装置またはコンバータを用いてレーザーをポンプするq-スイッチ型ランプである請求項１４に記載のパッケージの非浸潤性消毒装置。
【請求項１９】
前記光照射装置が、単一基盤上に統合されているハイブリッドレーザおよびランプを含む請求項１１から１３のいずれかに記載のパッケージの非浸潤性消毒装置。
【請求項２０】
前記光照射装置が、ＬＥＤを含む請求項１１から１３のいずれかに記載のパッケージの非浸潤性消毒装置。
【請求項２１】
前記光照射装置が、パルスＵＶ固相レーザーを含み、前記パルスＵＶ固相レーザーが、１Ｈｚ〜７５Ｈｚの間で作動し、３５５ｎｍの波長とマイクロ秒未満のパルス持続時間とを有し、第２の規則的な相互作用若しくは前記パッケージの表面上および前記パッケージの容量または内容の至る所で光子吸着作用を生じるレーザーである請求項１１から１３のいずれかに記載のパッケージの非浸潤性消毒装置。
【手続補正２】
【補正対象書類名】明細書
【補正対象項目名】０００６
【補正方法】変更
【補正の内容】
【０００６】
現在において、使用されている滅菌および消毒方法は、厳しい規制、例えば、多色放射、連続的な波操作、非指向的光学的分布の光、放射状であって、しばしば不経済な光学性能の使用された光源より妨げられている。
【手続補正３】
【補正対象書類名】明細書
【補正対象項目名】０００７
【補正方法】変更
【補正の内容】
【０００７】
さらには、幾何学的利用の低下および適切なビーム管理システムの欠如により、カップリング効率を減じさせ、驚くほどのヘッドロス(head loss)を引き起こしている。
【手続補正４】
【補正対象書類名】明細書
【補正対象項目名】０００８
【補正方法】変更
【補正の内容】
【０００８】
これらの制限が、前記効率を減少させ、およびこれらの通常の滅菌技術(例えば、水銀をベースとしたランプ)に関係する費用を増加させ、その結果、それらの使用および商品価値を損なっている。
【手続補正５】
【補正対象書類名】明細書
【補正対象項目名】０００９
【補正方法】変更
【補正の内容】
【０００９】
本発明の目的は、液体、気体または固体の各々を包装している材料を通じて、液体、気体または固体を消毒できる方法およびそのシステムを開示することである。
【手続補正６】
【補正対象書類名】明細書
【補正対象項目名】００１０
【補正方法】変更
【補正の内容】
【００１０】
すなわち、その製品およびその包装(packaging)は、２つの工程に分けて滅菌する必要がなく、さらに、すでに包装(packaging)してしまった後に前記製品を滅菌する必要がある場合でも、包装(packaging)から取り出す必要がない。
【手続補正７】
【補正対象書類名】明細書
【補正対象項目名】００１１
【補正方法】変更
【補正の内容】
【００１１】
すなわち、前記製品の安全性は増し、その品質要素は、包装(packaging)または充填後の高い状態のままである。
【手続補正８】
【補正対象書類名】明細書
【補正対象項目名】００１２
【補正方法】変更
【補正の内容】
【００１２】
【課題を解決するための手段】
本発明は、包装された製品を浸透する光源を使用した新規の消毒方法およびそのシステムを開示する。本発明は、高い最大出力、光源、例えば、固相レーザー、高い反復率、および高度な幾何学的利用法を利用する。このことにより、斬新的な滅菌方法およびそのシステムをもたらし、製品ライン、充填ラインおよび包装(packaging)ラインの速度を落とすことなく、さらに、それらに生物的安全性を供与する。
【手続補正９】
【補正対象書類名】明細書
【補正対象項目名】００１３
【補正方法】変更
【補正の内容】
【００１３】
本発明の事象については、以下の発明の要約、および図面の詳細な説明によりはっきりと理解できるようになる。
【手続補正１０】
【補正対象書類名】明細書
【補正対象項目名】００１４
【補正方法】変更
【補正の内容】
【００１４】
厳しい制約のあるワクチン製剤および医薬製剤のための医学、および生物医学的製造工程は、高価で、わずらわしく、大きなシステムにより妨げられ、多くの場合、研究および生産活動を費やす。さらには、最新の電子工学、水圧、および気流輸送、混合、および撹拌する機械および工程環境において、何度も試料を輸送する必要性、および多角的に間接して結合しているかまたは連結しているチャンバーまたは導管から異なる化合物を供給および分配する必要性は、不可欠であって、相互汚染、生物学的適合性および生物安全性に対する保護能力を制限し、しばしば、有機化学物質または影響されやすい薬剤は、その中の(前記容器、チャンバー液体、気体、固体またはそれらの組み合わせた導管の中)処理を単純にするために、容器からに移されるが、本発明の方法によると、そのような制限をすることはなく、本発明の方法は、種々の産業において、幅広い用途のために利用でき、多大な支出を抑え、省スペースを特徴としている(付加的な処理工程、放物面反射器を必要とせず、さらに導管のネットワークおよびインターフェースを通じた液体、気体または固体の輸送を必要としないため)。さらに具体的には、本発明の工程は斬新的な工程であって、本発明の方法によると、成分、要素、マルチ要素および／または単一要素の複合物を、一度に処理することができるため、本発明の工程は、複数の処理工程のために液体および気体または固体または組み合わせたものを移動させることを必要とする従来の制限、すなわち、化学的汚染物質および毒性汚染物を移動させて生物適合性または生物学的安全性を補償せんがために安全性支出を増加させている従来の制限より優れている。本発明は、特に、ヒト、動物または植物の免疫系を向上させるオプトプロバイオテック化合物を製造するために有用である。本発明の方法により、処理された化合物が、一旦消費されると、MHCCのI、II、III型が誘発され、そして、痕跡認識を行うか、認められた生物または化学的由来を標識または調整をすることで列挙され、免疫系のプラスの応答ポートフォリオを知らせ、それによって、潜在的に驚異的な抗原、および有毒な、生物学的毒性および化学的に驚異的な最終的事態(すなわち、相互汚染であって、化合物を異なる場所から分配システムを通じて移すのが必要性なので前記相互汚染が起こり、例えば、順番に、消毒される必要がある)を補足し、対処するようにさらに備える。さらに具体的には、医学製剤の分野における現在の技術と対比して、本発明の方法の前記内容物または容量の最終的な包装において処理にする能力は、より安全に、速く、さらには経済的な無菌製品製法を容易にし、特に、瓶詰め産業、生物医学的な分野に有用で、さらに免疫およびオプトプロバイオテック化合物入りの飲料水、ミネラル水、着香した水、湧き水、処理水、呼吸用空気、および炭酸、酸化または増強またはサプリメント飲料またはそれらの組み合わせたものの製造に有用である。特に、農業食品産業、瓶詰め産業および水産業に有用で、多額の費用をかけても使用する必要性があって、反応性および毒性化学物質を取り除く免疫製品製造の発達に有用である。
【手続補正１１】
【補正対象書類名】明細書
【補正対象項目名】０４６８
【補正方法】変更
【補正の内容】
【０４６８】
本発明の方法は、水を主成分とした製品、着香した水、ミネラル水および湧き水、瓶詰めされた水および包装(packaging)されている処理された水製品、過酸化水、サプリメント水、磁化(magnetized)水、増強水、再構成(reconstructed)水またはそれらのあらゆる組み合わせたものの滅菌に特に役立つ。また、本発明の方法は、飲み物、ワイン、ジュースまたはアルコールにも利用できる。加えて、多岐にわたる生物医学的用途には、血液および血液製品、調合薬剤(例えば、インスリン生成物、血液製剤、血漿製剤)、および医療処置に使用される液体および気体があげられる。また、本発明の方法は、ビタミンまたは栄養を含む飲料用の水を主成分とした水、および／または発泡させた水または着香した水を用いた薬物輸送に利用でき、さらに、空気製品、発射薬のための気体、スプレー、あらゆる固体、液体、気体、液体を凍結させたもの、ジェル、粉末またはその混合複合体に利用できる。本発明のすべての用途において、レーザーの波長、エネルギー、パルス幅、および分光的および空間的特性で、作用スペクトル、前記包装の吸収、透過率、透明度、屈折率または屈折率特性、(および、前記包装された液体または気体の界面)に対して、較正を行わなければならない。本発明は、包装を通じて行う、効果的で、経済的な消毒および滅菌を保証する。本発明は、高流量を維持し、前記製品中の高感度の天然含有成分または健康によい含有成分（例えば、飲料中の砂糖または自然香料）に影響を与えない。本発明の方法は、処理を行った製品の風味および香りを変化させず、感覚に影響を与えない。